【手続補正書】
【提出日】平成18年6月12日(2006.6.12)
【手続補正１】
【補正対象書類名】明細書
【補正対象項目名】特許請求の範囲
【補正方法】変更
【補正の内容】
【特許請求の範囲】
【請求項１】  電子式同定システムであって、
トランスポンダのメモリ装置にデータを書き込むための、少なくとも一つのトランスポンダ・エンコーダと、
少なくとも一つのエンコーダからデータを受信することができる複数のトランスポンダと、
選択したトランスポンダに質問し、前記トランスポンダに記憶したデータを読み取るための少なくとも一つの照合装置と、を備え
前記エンコーダは、前記トランスポンダに書き込まれる前記データの一部を形成するために、トランスポンダの外部から、あるエンティティの識別コード特性を供給するための手段を含み、及び
前記照合装置は、それにより読み取った前記データから前記識別コードを抽出し、前記コードを許可を受けているコードと比較するための計算手段と、抽出した前記識別コードが、前記許可を受けているコードと一致するかどうかを表示するための表示手段とを含むものであるシステム。
【請求項２】  請求項１に記載のシステムにおいて、前記識別コードが、前記エンコーダの特性を示し、
前記エンコーダが、その内部に前記エンコーダの複数の識別コードの特性を記憶しているメモリ装置を含み、
識別コードを供給する前記手段が、前記複数の識別コードの中の一つをランダムに選択するためのコントローラを含むシステム。
【請求項３】  請求項２に記載のシステムにおいて、さらに、複数の識別コードを発生するための、また対応する許可を受けているコードを作るために、その識別コードを前記エンコーダの少なくとも一つのメモリ装置に、また少なくとも一つの照合装置のメモリ装置にダウンロードするための中央コンピュータを含むシステム。
【請求項４】  請求項２および請求項３の何れか１項に記載のシステムにおいて、前記エンコーダの前記コントローラが、前記トランスポンダに書き込む前記データの一部を形成するため、前記識別コードに関連する暗号化データを供給するために、第一の暗号化アルゴリズムおよび第一の暗号化プロセス中の前記選択した識別コードを使用する暗号化手段を含むシステム。
【請求項５】  請求項４に記載のシステムにおいて、前記エンコーダの前記コントローラが、エンコーダのメモリ装置に予め記憶している第一の組の暗号化アルゴリズムから第一の暗号化アルゴリズムをランダムに選択するようにプログラムされるシステム。
【請求項６】  請求項５に記載のシステムにおいて、各暗号化アルゴリズムが、前記エンコーダの前記メモリ装置の各アルゴリズムに関連しているシステム
。
【請求項７】  請求項４−請求項６の何れか１項に記載のシステムにおいて
、各アルゴリズムが、その中に前記データが書き込まれる、前記トランスポンダの少なくとも一つの物理的特性の機能を含むシステム。
【請求項８】  請求項７に記載のシステムにおいて、前記物理的特性が、前記トランスポンダの一部を形成するクロックの周波数であるシステム。
【請求項９】  請求項７または請求項８に記載のシステムにおいて、前記アルゴリズムが、一般的な形式のものであり、
前記識別コードが、トランスポンダに、第一の余りを加えたものの物理的特性の少なくとも一つの機能に等しいシステム。
【請求項１０】  請求項９に記載のシステムにおいて、識別コードに関連していて、前記トランスポンダに書き込まれる前記データの一部を形成する前記データが、前記の余りを含むシステム。
【請求項１１】  請求項６−請求項１０の何れか１項に記載のシステムにおいて、前記選択したアルゴリズムのアルゴリズム・アドレスに関連するデータが
、前記トランスポンダの前記メモリ装置に書き込まれる前記データに挿入されるシステム。
【請求項１２】  請求項１１に記載のシステムにおいて、前記エンコーダの前記コントローラが、前記トランスポンダに書き込まれる、アルゴリズムに関連する暗号化データを作成するために、第二のアルゴリズムおよび第二の暗号化プロセスのアドレスに関連するデータを使用するシステム。
【請求項１３】  請求項１２に記載のシステムにおいて、前記第二のアルゴリズムが、一般的な形式のものであって、前記アルゴリズム・アドレスが、独立変数に第二の余りを加えたものの少なくとも一つの関数に等しいシステム。
【請求項１４】  請求項１３に記載のシステムにおいて、前記アルゴリズム・アドレスに関連し、前記トランスポンダに書き込まれるデータの一部を形成する暗号化データが、前記第二の余りを含むシステム。
【請求項１５】  請求項１２−請求項１４の何れか１項に記載のシステムにおいて、前記照合装置が、第一のアルゴリズム用のアドレスに関連する前記暗号化データを解読するために、第二のアルゴリズムを使用することができる計算手段を含むシステム。
【請求項１６】  請求項１５に記載のシステムにおいて、前記計算手段が、前記第一のアルゴリズムを検索し、前記トランスポンダの前記物理的特性に関連するデータを入力し、出力コードを作成するため、前記識別コードに関連するデータを解読するために、前記データおよび前記第一のアルゴリズムを使用するようにプログラムされるシステム。
【請求項１７】  請求項１６に記載のシステムにおいて、前記照合装置の前記計算手段が、前記出力コードを、前記照合装置への前記メモリ装置に記憶している、許可を受けているコードと比較するためのコンパレータを含むシステム。
【請求項１８】  請求項１７に記載のシステムにおいて、前記照合装置の前記表示手段がディスプレイを含むシステム。
【請求項１９】  トランスポンダが本物かどうかを照合する方法であって、
許可を受けているトランスポンダ・エンコーダにより、データを前記トランスポンダに書き込むステップと、
前記データに、前記トランスポンダの、外部のエンティティの識別コードに関連するデータを含ませるステップと、
前記トランスポンダに書き込まれた前記データを照合装置により読み取るステップと、
読み取った前記データから前記識別コードに関連するデータを抽出するステップと、
前記抽出したデータを、前記エンティティの許可を受けている識別コードに関連するデータと比較するステップと、
前記抽出したデータが、前記許可を受けている識別コードに関連する前記データと一致するかどうかの指示を提供するステップとを含む方法。
【請求項２０】  請求項１９に記載の方法において、前記識別コードが、前記エンコーダの特性を示す方法。
【請求項２１】  請求項２０に記載の方法において、前記エンコーダが、複数のその識別コード特性を持ち、前記方法が、前記トランスポンダに書き込まれる前記データに挿入するために、これらのデータの中の一つをランダムに選択するステップを含む方法。
【請求項２２】  請求項１９−請求項２１の何れか１項に記載の方法において、前記トランスポンダに書き込まれる、前記識別コードに関連する暗号化データを作成するために、第一の暗号化アルゴリズムおよび前記識別コードを第一の暗号化プロセスで使用する方法。
【請求項２３】  請求項２２に記載の方法において、前記第一の暗号化アルゴリズムを第一の組の暗号化アルゴリズムの中から選択することができる方法。
【請求項２４】  請求項２２または請求項２３に記載の方法において、前記第一の暗号化アルゴリズムが、その内部に前記データが書き込まれる前記トランスポンダの少なくとも一つの物理的特性の少なくとも一つの機能を含む方法。
【請求項２５】  請求項２３または請求項２４に記載の方法において、第一の組の各暗号化アルゴリズムの各アルゴリズムに、各アルゴリズム・アドレスを使用して、前記エンコーダにより、そのメモリ装置からアクセスすることができる方法。
【請求項２６】  請求項２５に記載の方法において、トランスポンダに書き込まれるデータに、前記選択したアルゴリズムの前記アルゴリズム・アドレスに関連するデータを挿入するためのステップを含む方法。
【請求項２７】  請求項２６に記載の方法において、第二の暗号化アルゴリズムおよび前記の選択したアルゴリズムのアドレスに関連するデータを前記トランスポンダに書き込まれるデータに挿入するため、前記アルゴリズム・アドレスに関連する暗号化データを作成するために、第二の暗号化プロセスで使用する方法。
【請求項２８】  請求項２７に記載の方法において、前記照合装置のメモリ装置から前記第一の暗号化プロセス中で使用したアルゴリズムを検索するために
、前記照合装置のところで、前記アルゴリズム・アドレスに関連する前記データを使用するステップを含む方法。
【請求項２９】  請求項２８に記載の方法において、前記照合装置の計算手段に、前記トランスポンダの前記物理的特性に関連するデータを供給し、前記識別コードに関連する前記暗号化データを解読するために、前記データおよび前記検索した第一のアルゴリズムを使用するステップを含む方法。
【請求項３０】  請求項２９に記載の方法において、前記識別コードに関連する前記解読したデータを、前記照合装置の前記メモリ装置に記憶している許可を受けている識別コードに関連する前記データと比較するステップを含む方法。
【請求項３１】  トランスポンダにデータをプログラミングする方法であって、
前記トランスポンダの物理的特性を電子的に測定し、それに関連するデータを作成するステップと、
前記作成したデータを、暗号化アルゴリズムで使用して、前記トランスポンダに書き込まれるデータを暗号化するステップと、
前記トランスポンダの前記メモリ装置に、前記暗号化したデータを書き込むステップとを含む方法。
【請求項３２】  請求項３１に記載の方法において、前記物理的特性が、前記トランスポンダの回路のクロック周波数であり、前記クロック周波数を測定するために、前記トランスポンダから応答信号を受信し、前記受信信号を使用することにより、前記クロック周波数の測定が行われる方法。